(57)【要約】  【課題】  本発明の目的の１つは、送信予約を行う際に伝送速度の変化を考慮した無線通信装置、無線通信方法を提供することである。  【解決手段】  本発明では、送信予約要求を無線送受信部で受信し、予約許可を該無線送受信部から送信する無線通信装置において、１の送信予約要求に対して内容の異なる複数の予約許可を異なるタイミングで前記無線送受信部から送信させる制御部、を備えたことを特徴とする無線通信装置を用いる。好ましくは、前記制御部は、前記複数の予約許可のうち最初の予約許可により、前記送信予約要求を送信した無線通信装置に対して、送信を制限することができる期間内に、前記複数の予約許可のうち２番目以降のいずれかの予約許可を送信するように前記無線送受信部を制御する。  【選択図】        図６
2006319395.tif 000002
【特許請求の範囲】
【請求項１】
送信予約要求を無線送受信部で受信し、予約許可を該無線送受信部から送信する無線通信装置において、
１の送信予約要求に対して、複数の予約許可を異なるタイミングで前記無線送受信部から送信させる制御部、
を備えたことを特徴とする無線通信装置。
【請求項２】
前記制御部は、前記複数の予約許可のうち最初の予約許可により、前記送信予約要求を送信した無線通信装置に対して、送信を制限することができる期間内に、前記複数の予約許可のうち２番目以降のいずれかの予約許可を送信するように前記無線送受信部を制御する、
ことを特徴とする請求項１記載の無線通信装置。
【請求項３】
前記複数の予約許可のうち、時間的に後に送信される予約許可は、時間的に先に送信される予約許可により許可された送信タイミングを変更する意味を持つ、
ことを特徴とする請求項１記載の無線通信装置。
【請求項４】
前記変更は、送信予約を行った他の無線通信装置の送信状況に応じた変更であることを特徴とする請求項３記載の無線通信装置。
【請求項５】
送信予約を行った他の無線通信装置の無線環境に応じて該他の無線通信装置の送信速度が速くなり、該他の無線通信装置の送信が予定より早く完了する場合は、前記変更は、より早いタイミングでの送信を許可する変更となり、該送信が遅く完了する場合は、より遅いタイミングでの送信を許可する変更となる、
ことを特徴とする請求項３記載の無線通信装置。
【請求項６】
前記制御部は、送信予約を行った他の無線通信装置の無線環境に応じて該他の無線通信装置に対して送信速度の変更指示を該他の無線通信装置に対して送信するように前記無線送受信部を制御し、該送信速度の変更指示の内容と、該他の無線通信装置の送信予約の際に取得した送信データ量とに基づいて、該他の無線通信装置に関するデータ送信が該送信予約の内容よりも早く完了する場合に、前記複数の予約許可のうちの２番目以降予約許可により、最初の予約許可により許可を与えた送信タイミングをより早いタイミングに変更する、
ことを特徴とする請求項１記載の無線通信装置。
【請求項７】
前記複数の予約許可のうち最初の予約許可の送信から、２番目以降のいずれかの予約許可の送信までの間の時間は所定時間以上は離れるように設定された、
ことを特徴とする請求項１記載の無線通信装置。
【請求項８】
送信予約要求を無線送受信部から送信し、予約許可を該無線送受信部で受信する無線通信装置において、
１の送信予約要求に対して複数の予約許可を異なるタイミングで前記無線送受信部で受信し、該複数の予約許可のうちの少なくとも１以上の予約許可に従って、前記無線送受信部にデータ送信させる制御部、
を備えたことを特徴とする無線通信装置。
【請求項９】
無線環境に応じて送信形式を変更して送信速度を変化させる無線通信装置において、
送信予約要求を送信し、該送信予約要求に対する応答である送信許可を受信する無線送受信部と、
該送信許可に従ってデータ送信を行う間については、前記送信形式の変更を規制する制御部と、
を備えたことを特徴とする無線通信装置。
【請求項１０】
送信局から送信予約要求を送信し、受信局から該送信予約に応じて送信許可を該送信局に送信することで送信の予約を行う無線通信方法において、
該送信局からの１の送信予約要求に対して、複数の予約許可を異なるタイミングで該受信局から該送信局に送信するステップ、
を含むことを特徴とする無線通信方法。
【発明の詳細な説明】
【技術分野】
【０００１】
本発明は、無線通信装置、無線通信方法に関する。無線通信装置の例としては、例えば、Ｗ−ＣＤＭＡ（ＵＭＴＳ）通信方式を採用した移動無線通信システムで用いられる無線基地局、移動局が挙げられ、無線通信方法の例としては、これらの間の無線通信方法が挙げられる。
【背景技術】
【０００２】
無線通信装置間では、無線回線を介してデータの送信を行う。このとき、データの送信を行う無線通信装置（送信局）が複数存在し、これらの複数の送信局からデータを共有チャネルを介して受信する無線通信装置（受信局）が１つ存在する場合には、これらの複数の送信局に対して送信タイミングの制御を行う必要がある。
【０００３】
これについて図１を用いて簡単に説明する。
【０００４】
図１は、従来の無線通信装置間のデータの送信方法について説明するための図であり、ここでは、パケットデータを送信する例を示している。
【０００５】
尚、無線通信装置Ａが受信局、無線通信装置Ｂ、Ｃが送信局に対応する。
【０００６】
この従来の送信方法においては、受信局Ａに対して送信を希望するデータ（１２０Ｂｙｔｅとする）を持つ送信局Ｂは、まず、送信予約要求（制御パケットデータ）を受信局Ａに対して送信する。この送信予約要求には、送信局Ｂが送信を希望するパケット数情報が含まれる。
【０００７】
受信局Ａは、送信局Ｂからの送信予約要求を受信すると、予約の受け付け可否について評価し、他に送信を希望する送信局が存在しない場合には、この送信予約要求を受け付け、予約許可を送信局Ｂに送信する。この予約許可には、パケットデータの送信をＮパケット送信タイミング分遅延させて行うように指示する遅延情報（この場合は、遅延無しでありＮ＝０）や、送信を許可するパケット数を示すパケット数情報が含まれる。
【０００８】
従って、送信局Ｂは、予約許可を受信すると、遅延情報に従って、Ｎパケット分送信タイミングを待ち（この場合は、直近のパケット送信タイミング）、そのタイミングでパケットデータ（４０Ｂｙｔｅ）を受信局Ａに送信する。
【０００９】
そして、パケットデータは、受信局Ａで受信され、受信局Ａは、受信パケットデータに含まれる誤り検出ビットを用いて受信可否判定を行い、正常に受信できた場合には、ＡＣＫ信号を送信局Ｂに送信する。尚、受信局Ａは、パケットデータを正常に受信できなかった場合は、ＮＡＣＫ信号を送信局Ｂに送信し、送信局Ｂにパケットデータの再送信を促す。
【００１０】
ここでは、送信局Ｂは、ＡＣＫ信号を受信するので、次のパケット送信タイミング、次の次のパケット送信タイミングで、それぞれパケットデータ（４０Ｂｙｔｅ）を受信局Ａに送信する。
【００１１】
このようにして、合計１２０Ｂｙｔｅの送信データの送信が送信局Ｂから受信局Ａに送信される。
【００１２】
一方、送信局Ｃも図のように送信予約要求（２パケット分）を受信局Ａに行い、予約許可を受信局Ａから受信する。
【００１３】
但し、予約許可を送信する際に、受信局は、既に送信局Ｂに対して３パケット分のパケットデータの送信を許可済みであり、送信局Ｂはまだ最後の１パケット分のデータを送信していないため、送信局Ｃに対しては、１パケット分に対応する時間だけ、パケットデータの送信を遅らせるように、遅延情報を設定し、パケット数情報として２パケットを設定している。
【００１４】
従って、送信局Ｃは、予約許可を受信するものの、次のパケットデータ送信タイミングでは送信を行わず、１パケット遅延させ、次の次のパケットデータ送信タイミングで送信を行う。
【００１５】
そして、送信局Ｃは、同様にして２パケット分の送信パケットデータの送信を行う。
【００１６】
予約を行う通信方式に関する先行技術として、次の特許文献１が挙げられる。
【特許文献１】特開平９−５５６９３号公報
【発明の開示】
【発明が解決しようとする課題】
【００１７】
先に説明した背景技術によれば、送信局における送信データの量に応じた送信予約が行われるため、送信局は、予約済みの送信タイミングを利用して送信データを円滑に送信することができる。
【００１８】
しかし、各送信タイミングで送信可能なデータ量が変化する場合に問題がある。
【００１９】
尚、送信予約を行う際に、各送信タイミングで送信可能なデータ量が変化することを許容することは既知ではなく、下記に記載の事項は、本発明者により創作された事項の一部である。
【００２０】
これについて図２を用いて説明する。
【００２１】
送信局Ｂは、１２０Ｂｙｔｅの送信データを有するため、その際の無線環境に応じた伝送速度から各送信タイミングで、４０Ｂｙｔｅのデータ伝送が可能であると判断すると、３パケット分の予約が必要と判断して、３パケットの送信予約要求を行う。
【００２２】
しかし、その後送信局Ｂと受信局Ａとの間の無線環境が改善され、もっと高速な伝送速度（６０Ｂｙｔｅ）で送信可能になると、予定していた３パケットの送信を行わなくも、２パケット分の送信で、送信データの送信が完了してしまう。
【００２３】
従って、点線枠で示した３パケット目は、予約されたものの、実施には送信タイミングとして利用されず、送信タイミングを無駄に消費してしまうこととなる。
【００２４】
逆に無線環境が悪化し、予定していた伝送速度より低速な伝送速度を採用しなければならなくなった場合も、予約とのずれが生じ、次に予約との競合が生じてしまう（図３の衝突部分参照）。
【００２５】
従って、本発明の目的の１つは、送信予約を行う際に伝送速度の変化を考慮した無線通信装置、無線通信方法を提供することである。
【００２６】
尚、上記目的に限らず、後述する発明を実施するための最良の形態に示す各構成により導かれる効果であって、従来の技術によっては得られない効果を奏することも本発明の目的の１つとして位置付けることができる。
【課題を解決するための手段】
【００２７】
（１）本発明では、送信予約要求を無線送受信部で受信し、予約許可を該無線送受信部から送信する無線通信装置において、１の送信予約要求に対して複数の予約許可を異なるタイミングで前記無線送受信部から送信させる制御部、を備えたことを特徴とする無線通信装置を用いる。
（２）また、前記制御部は、前記複数の予約許可のうち最初の予約許可により、前記送信予約要求を送信した無線通信装置に対して、送信を制限することができる期間内に、前記複数の予約許可のうち２番目以降のいずれかの予約許可を送信するように前記無線送受信部を制御する、ことを特徴とする（１）記載の無線通信装置を用いる。
（３）また、前記複数の予約許可のうち、時間的に後に送信される予約許可は、時間的に先に送信される予約許可により許可された送信タイミングを変更する意味を持つ、ことを特徴とする（１）記載の無線通信装置を用いる。
（４）また、前記変更は、送信予約を行った他の無線通信装置の送信状況に応じた変更であることを特徴とする（３）記載の無線通信装置を用いる。
（５）また、送信予約を行った他の無線通信装置の無線環境に応じて該他の無線通信装置の送信速度が速くなり、該他の無線通信装置の送信が予定より早く完了する場合は、前記変更は、より早いタイミングでの送信を許可する変更となり、該送信が遅く完了する場合は、より遅いタイミングでの送信を許可する変更となる、ことを特徴とする（３）記載の無線通信装置を用いる。
（６）また、前記制御部は、送信予約を行った他の無線通信装置の無線環境に応じて該他の無線通信装置に対して送信速度の変更指示を該他の無線通信装置に対して送信するように前記無線送受信部を制御し、該送信速度の変更指示の内容と、該他の無線通信装置の送信予約の際に取得した送信データ量とに基づいて、該他の無線通信装置に関するデータ送信が該送信予約の内容よりも早く完了する場合に、前記複数の予約許可のうちの２番目以降予約許可により、最初の予約許可により許可を与えた送信タイミングをより早いタイミングに変更する、ことを特徴とする（１）記載の無線通信装置を用いる。
（７）また、前記複数の予約許可のうち最初の予約許可の送信から、２番目以降のいずれかの予約許可の送信までの間の時間は所定時間以上は離れるように設定された、
ことを特徴とする（１）記載の無線通信装置を用いる。
（８）本発明では、送信予約要求を無線送受信部から送信し、予約許可を該無線送受信部で受信する無線通信装置において、１の送信予約要求に対して複数の予約許可を異なるタイミングで前記無線送受信部で受信し、該複数の予約許可のうちの少なくとも１以上の予約許可に従って、前記無線送受信部にデータ送信させる制御部、を備えたことを特徴とする無線通信装置を用いる。
（９）本発明では、無線環境に応じて送信形式を変更して送信速度を変化させる無線通信装置において、送信予約要求を送信し、該送信予約要求に対する応答である送信許可を受信する無線送受信部と、該送信許可に従ってデータ送信を行う間については、前記送信形式の変更を規制する制御部と、を備えたことを特徴とする無線通信装置を用いる。
（１０）本発明では、送信局から送信予約要求を送信し、受信局から該送信予約に応じて送信許可を該送信局に送信することで送信の予約を行う無線通信方法において、該送信局からの１の送信予約要求に対して、複数の予約許可を異なるタイミングで該受信局から該送信局に送信するステップ、を含むことを特徴とする無線通信方法を用いる。
【発明の効果】
【００２８】
本発明によれば、送信予約を行う際に伝送速度の変化を考慮した無線通信装置、無線通信方法を提供することができる。
【発明を実施するための最良の形態】
【００２９】
以下、図面を参照することにより、本発明の実施の形態について説明する。
〔ａ〕第１実施形態の説明
この実施形態では、送信予約を行う際に伝送速度の変化を考慮することとする。
【００３０】
即ち、無線通信装置（送信局）は、送信予約要求を送信し、この送信予約要求を受信した無線通信装置（受信局）は送信許可をこの送信局に送信するが、他の無線通信装置についての送信が予定より早く完了したり、逆に遅く完了したりすることがあり得ることを考慮して、２回目の送信許可をこの送信局に送信可能とする。
【００３１】
これにより、他の無線通信装置についての送信状況に変化が生じ、１回目の送信許可の際とは状況が変化した場合であっても、２回目の送信許可により再度送信許可を変更することができることとなる。
【００３２】
無線通信装置としては、移動通信装置に限らず、無線により通信を行う種々のタイプの通信装置を採用することができるが、ここでは、移動通信装置を例として挙げて説明することとする。従って、無線通信装置としては、移動局、基地局が対応することとなる。
・「無線通信装置」
図４は、本発明に係る無線通信装置（移動局、基地局）を示す。移動通信システムとしては、種々のものが考えられるが、ここでは、Ｗ−ＣＤＭＡ（ＵＭＴＳ）のようにＣＤＭＡに対応した移動通信システムを用いることとする。もちろん、ＯＦＤＭを採用した次世代移動通信システムとすることもできる。
【００３３】
図において、１は無線基地局（受信局）、２は移動局（送信局）、３は移動局（送信局）をそれぞれ示す。
【００３４】
無線基地局１は、移動局との間で無線送受信を行うための無線送受信部１１、各部の制御を行う制御部１２、各種パラメータを記憶する記憶部１４、上位網側との間で通信を行うためのインタフェース部１５を備えている。もちろん無線送受信部１１はＣＤＭＡ方式に対応するため、周知の拡散（逆拡散）処理部を含み、拡散処理部により拡散した信号を送信信号として生成し、逆に、逆拡散処理部により逆拡散した信号を受信信号として得るのである。
【００３５】
制御部１２はその１機能の１つとして、移動局からの送信予約要求についての予約管理を行う予約管理部を備えている。
【００３６】
即ち、移動局から送信予約要求を受信すると、制御部１２はその内容を予約管理部１３に与え、予約管理部１３は、記憶部１４に管理、記憶している予約情報を参照してその予約要求に対する予約許可を生成して制御部１２に与え、無線送受信部１１から移動局へ送信することを可能とする。
【００３７】
記憶部１４に記憶させる予約情報の例は図５に示している。
【００３８】
図のように予約情報は、移動局の識別情報（ＩＤ）に対応させて、送信許可タイミング（送信を開始してよいとして通知したタイミング）と予約パケット数（予約により送信を許可したパケット数（及び／又はデータ量））、最通知フラグ（送信許可を更に送信するかどうかを示すフラグ）で構成される。
【００３９】
さて、図４の説明に戻るが、移動局２、３は同様の構成をしており、無線基地局の無線送受信部１１との間で無線通信を行うための無線送受信部２１（３１）、各部の制御を行う制御部２２（３２）、各種パラメータを記憶する記憶部２３（３３）、データの入出力を行うための入出力２４（３４）を備えている。
【００４０】
基本的な構成は以上のようであるが、移動局２、３は無線環境に応じて送信データの送信速度を変更可能であることが望ましい。
【００４１】
例えば、ＨＳＤＰＡで採用されているＡＭＣ制御を、移動局と無線基地局との立場を入れ替えることで採用することが望ましい。
【００４２】
即ち、移動局２（３、以下同様）は、無線基地局１において上り方向の無線伝送路の環境の観測を可能とするために、パイロット信号を無線基地局１に送信する。無線基地局１は、受信したパイロット信号の受信品質を測定し、上り方向の無線伝播路の状態を評価し、無線環境が良好である場合は、より高速の伝送を可能とする送信形式を移動局２に指示し、逆に無線環境が悪化している場合は、より低速の伝送を可能とする送信形式を移動局２に指示する。尚、この指示は、定期的（特に送信予約要求後、送信完了までの間）に行うことが望ましい。
【００４３】
従って、移動局２は、無線基地局１に指示された最新の送信形式を利用して無線送信を行うことができることとなる。
【００４４】
送信形式の変更の例としては、ＱＰＳＫを１６ＱＡＭに変更して、送信速度を上昇させたり、割り当てる拡散コードの数を多くして１回の送信で送信可能なデータ量を増加させることが考えられる。
・「送信方法（その１）」
次に、本実施形態における送信方法の例を図６を用いて説明する。
【００４５】
移動通信システムへの適用を想定しているため、図において、無線通信装置Ａは、無線基地局１、無線通信装置Ｂ、無線通信装置Ｃは、それぞれ移動局２、３に対応する。
【００４６】
尚、図において、送信タイミング１〜１０の繰返して示した数は、パケットデータ等のデータ送信を行うために、複数の移動局が共通して利用する共有チャネルのスロット番号を示している。もちろん、直交する、異なる拡散コードを利用することで、同じスロットを複数の移動局で利用することもできるが、この例では、多重数等の問題等から移動局２、３は同じスロットを使用ないようにすることとする。
【００４７】
また、送信予約要求、送信許可は、パケットデータと同じチャネルで送信することとしてもよいが、ここでは、別個の制御チャネルを利用して送受信することとする。
【００４８】
さて、次に時間的な流れにそって説明する。
【００４９】
移動局２（送信局Ｂ）は、入出力部２４を介してデータが送信データとして入力され、無線基地局１側への送信が要求されると、制御部２２は、送信予約要求の生成を行う。
【００５０】
好ましくは、制御部２２は、送信データのデータ量（Ｄ）を算出し、更に、先に説明したように、無線環境を考慮した最新の送信形式で送信した場合に、１回の送信タイミングで送信可能なデータ量（Ｒ）を算出することで、何回の送信タイミングが必要であるかを評価（［Ｄ／Ｒ］、ここで、［Ｎ］はＮ以上の最小の自然数）し、送信予約要求に［Ｄ／Ｒ］を送信パケット数情報として含める。もちろん、［Ｄ／Ｒ］に替えて又は付随して送信データ量Ｄを送信予約要求に含めることもできる。
【００５１】
ここでは、[Ｄ／Ｒ]＝６であったとすると、無線基地局１（受信局Ａ）は、記憶部１４を参照して予約情報を確認（この段階では、まだ予約はないものとする）し、遅延情報（この場合は、遅延無しでありＮ＝０）や、送信を許可するパケット数を示すパケット数情報（この場合は６）を含む予約許可を移動局２に送信する。
【００５２】
尚、その際、予約管理部１３は、図５の移動局２に対応するデータ領域に、パケットデータの送信の開始を許可したタイミング＃１、予約パケット数６を記憶させ、最通知フラグはＯＦＦにセットする。
【００５３】
尚、遅延無しであるのは、他の予約が無かったから送信を規制する必要がなかったからであり、パケット数６は割り当て可能な許容範囲内であったからである。
【００５４】
予約許可を受信した移動局２は、自局の要求が受け入れられ、遅延なくパケットデータを送信できることを認識するので、送信可能である直近の送信タイミング＃１において送信データの一部をパケット化して無線基地局１に向けて送信する。
【００５５】
無線基地局１は、受信パケットについてＣＲＣチェック等の誤り検出チェックを行って、受信データ（パケット）が正常であるかどうかを評価し、その結果を移動局２に通知する（ここでは全て正常でありＡＣＫ信号が通知されることとする）。
【００５６】
ＡＣＫ信号を受信した移動局２は、予約済みである残りの送信タイミング＃２〜＃６において残りのパケットデータを送信していき、＃６で送信を完了する。
【００５７】
尚、この例では、送信予約要求の送信の際から送信タイミング＃６までに間では、無線環境の変化はあまりなく、送信形式の変更がないか又は送信データの送信のためには、＃１〜＃６の全てのスロットを使用する必要があったものとする。
【００５８】
一方、移動局３（送信局Ｃ）も入出力部３４を介してデータが送信データとして入力され、無線基地局１側への送信が要求されると、制御部３２は、移動局２と同様にして、送信予約要求の生成を行う。
【００５９】
ここでは、[Ｄ／Ｒ]＝２であったとすると、無線基地局１は、記憶部１４を参照して予約情報を確認する。今回は、既に移動局２について予約が完了しているため、移動局３について即、送信の許可を行うことはできない。
【００６０】
そこで、予約管理部１３は、移動局３について送信許可タイミングとして＃６（移動局２のために予約済みの送信タイミングの１つ）を記憶させ、予約パケット数として２を更に記憶させる。このとき、移動局２についてのパケット送信が予定とおり完了するとした場合には、移動局２と移動局３との間で送信の競合が発生するので再通知フラグはＯＮに設定される。
【００６１】
そして、移動局２に対しては、遅延情報（この場合は、遅延数Ｎ＝３）や、送信を許可するパケット数を示すパケット数情報（この場合は２）を含む予約許可を移動局３に送信する。ここで、遅延数３は、移動局３に対して送信タイミング＃６での送信を許可するためである。
【００６２】
予約許可を受信した移動局３は、自局の要求が受け入れられたが、パケットデータの送信には、３スロット分の遅延が必要であることを認識するため、制御部３２は、スロット＃６の送信タイミングとなるまで無線送受信部３１を送信待機状態に制御する。
【００６３】
但し、＃６の送信タイミングよりも前の時間において、無線基地局１から再度の予約許可が送信されるため、これを受信するように制御部３２は無線送受信部３１を制御する。
【００６４】
予約許可が制御情報として送信され得る各タイミングについて毎回受信動作させて、局宛てに予約許可が送信されたかどうか確認してもよいが、好ましくは、送信を許可されたスロットを基準として所定の時間前のタイミングに受信を制限することが省電力の節約の面から望ましい。尚、この場合は、無線基地局１も同様にこの基準から所定の時間前に再度の予約許可を送信するように制御することが望ましい。
【００６５】
この例では、無線基地局１の予約管理部１３は、再通知フラグがＯＮに設定されているため、移動局３の送信タイミングとなるよりも前に、移動局２の送信状況を評価する。
【００６６】
例えば、移動局２のパケットデータに、残りパケット数（予定）を含ませておき、移動局２に対して予約を許可した送信タイミングの全てが利用されるかどうかを評価する。
【００６７】
また、予約情報に含まれる送信データ量と、既に受信したデータ量との差分で求まる残りデータ量を、移動局２に通知した最新の送信形式で定まる送信速度で送信した場合に必要とされる残りパケット数を予測して、予約を許可した送信タイミングの全てが利用されるかどうかを評価する。
【００６８】
ここでは、予約のとおりパケットが送信されるものとすると、無線基地局１は、送信タイミング＃６となるよりも前（即ち、移動局３に対してパケットデータの送信を制限できることができる期間内）に、移動局３に対して再度の予約許可を送信する。
【００６９】
この場合、遅延情報（この場合は、遅延数Ｎ＝１）や、送信を許可するパケット数を示すパケット数情報（この場合は２）を含む予約許可を移動局３に送信する。
【００７０】
ここで、遅延数１としたのは、移動局２のパケット送信が予約とおり完了するため、その次の送信タイミングでパケットデータを送信できるように、移動局３に対して送信許可を与えるためである。
【００７１】
従って、移動局３は、再度の予約許可を受信し、送信タイミングが変更されたことを制御部３２が認識し、最新の予約許可（再度の予約許可）に従った送信タイミングでパケットデータの送信を行う。尚、好ましくは、この再度の予約許可は、移動局２に予約済みの送信タイミングと重複しないものとし、図５に示した予約情報のうち、移動局３についての送信タイミングを７に書き換えるとともに、再通知フラグをＯＦＦにすることが好ましい。
【００７２】
もちろん、移動局３に対して３回、４回目の予約許可を送信し、移動局２の送信の途中においてその送信状況の変化により追従できるようにしてもよい。
【００７３】
以上のように、１の送信予約要求に対して（内容の異なる）複数の予約許可を異なるタイミングで無線基地局１の無線送受信部から送信することで、他の移動局の送信状況に応じて送信タイミングを変更制御することが可能となる。
【００７４】
また、最初の予約許可に対してＮ番目（Ｎは、２、３等）の予約許可を所定時間（Ｔ）以上離して送信するという規則を導入することで、移動局３は、最初の予約許可の受信から時間Ｔの間に無線送受信部の電源をＯＦＦとしたり、周辺セルサーチ（受信品質測定）を行ったりする時間を確保することができる。尚、この所定時間Ｔは移動局内の記憶部に予め記憶させておいてもよいし、無線基地局１から報知情報としてセル内の移動局に対して報知することで、移動局に知らせてもよい。
【００７５】
上記実施形態において、最初の予約許可の送信の際に、再度の予約許可を行うか否かの識別情報を含めることで、移動局が、再度の予約許可の送信の可能性を期待して余分な受信動作を行わないように制御することもできる。
【００７６】
例えば、他の移動局に予約済みのパケット数が所定値より少ない場合等に特に有効である。
【００７７】
また、以下に説明する他の送信方法でも同様であるが、移動局３に対する最初の予約許可に、移動局２に予約済みの送信タイミングと重複する送信タイミングを含める例を示しているが、最初の予約許可においては重複しないようにして、再度の予約許可で通知する送信タイミングを変更することとしてもよい。
・「送信方法（その２）」
送信方法（その１）では、移動局１のパケット送信が予約とおりに行われた場合を示したが、この例では、予約した送信タイミングの一部を利用するまでもなく送信が完了してしまった例を示す（図７参照）。
【００７８】
先に説明したように、移動局２は、無線環境に応じて送信速度を変更することができる（例えば、無線基地局１からの送信形式の変更指示に従って変更する）ため、送信予約要求の際によりも無線環境が良好に変化した場合には、パケットデータの送信は予定より早く完了する。
【００７９】
無線基地局１の予約管理部１３は、先に説明したように、移動局３についての再通知フラグがＯＮに設定されているため、例えば、移動局２のパケットデータに、残りパケット数（予定）を含ませておき、移動局２に対して予約を許可した送信タイミングの全てが利用されるかどうかを評価する。
【００８０】
また、予約情報に含まれる送信データ量と、既に受信したデータ量との差分で求まる残りデータ量を、移動局２に通知した最新の送信形式で定まる送信速度で送信した場合に必要とされる残りパケット数を予測して、予約を許可した送信タイミングの全てが利用されるかどうかを評価する。
【００８１】
ここでは、送信速度の上昇から１パケット分だけ送信パケット数が削減できたものとすると、移動局２のために予約しておいた送信タイミング＃６が無駄にならないように、送信タイミング＃６よにも十分前に、移動局３に対して予約許可を送信するように、予約管理部１３は予約許可を生成して制御部１２に与える。
【００８２】
従って、制御部１２の制御により無線送受信部１１から再度の予約許可が移動局３に送信される。もちろん、予約管理部１３は、記憶部１４に記憶している移動局３についての再通知フラグをＯＦＦとする。
【００８３】
この予約許可は、送信タイミング＃６での送信を可能とするため、遅延情報（この場合は、遅延数Ｎ＝０）や、送信を許可するパケット数を示すパケット数情報（この場合は２）を含む予約許可を移動局３に送信する。
【００８４】
従って、再度の予約許可を受信した移動局３の制御部３２は、無線送受信部３１を制御して、送信タイミング＃６でパケットデータを送信させる。
【００８５】
尚、この例では、偶然に、最初の送信タイミングをそのまま利用できるため、再度の予約許可を無線基地局１は送信しないよにすることもできる。
【００８６】
この場合は、移動局３の制御部３２は、再度の送信許可を受信しないため、最初の送信許可に従ってパケットデータの送信を行うように無線送受信部３１の制御を行うこととなる。
【００８７】
また、移動局２のパケット送信が更に早く完了した場合は、より早い送信タイミング（＃５等）が移動局３に対して予約許可として通知されることとなる。もちろん、この場合は、無線基地局１の予約管理部１３は、記憶部１４における移動局３についての送信許可タイミングを＃５に変更する。
【００８８】
尚、送信が完了した移動局２にいての予約情報はその時点で削除してもよい。
・「送信方法（その３）」
この例では、予約した送信タイミングでは不足であった場合の例を示す（図８参照）。
【００８９】
先に説明したように、移動局２は、無線環境に応じて送信速度を変更することができる（例えば、無線基地局１からの送信形式の変更指示に従って変更する）ため、送信予約要求の際によりも無線環境が悪化した場合には、パケットデータの送信は予定より遅く完了する。
【００９０】
無線基地局１の予約管理部１３は、先に説明したように、移動局３についての再通知フラグがＯＮに設定されているため、例えば、移動局２のパケットデータに、残りパケット数（予定）を含ませておき、移動局２に対して予約を許可した送信タイミングの全てが利用されるかどうかを評価する。
【００９１】
また、予約情報に含まれる送信データ量と、既に受信したデータ量との差分で求まる残りデータ量を、移動局２に通知した最新の送信形式で定まる送信速度で送信した場合に必要とされる残りパケット数を予測して、予約を許可した送信タイミングの全てが利用されるかどうかを評価する。
【００９２】
ここでは、送信速度の低下から１パケット分だけ送信パケット数が増加したものとすると、移動局３に対して送信許可している送信タイミング＃６よにも十分前に、移動局３に対して再度の予約許可を送信するように、予約管理部１３は予約許可を生成して制御部１２に与える。
【００９３】
従って、制御部１２の制御により無線送受信部１１から再度の予約許可が移動局３に送信される。予約管理部１３は、記憶部１４に記憶している移動局３についての再通知フラグをＯＦＦとする。移動局２のパケット送信が予定より大幅に遅れ、所定パケット以上のパケットを更に送信する必要が生じた場合等は、複数パケット更なる通知に備えてＯＮに維持することもできる。
【００９４】
この予約許可は、送信タイミング＃８での送信を可能とするため、遅延情報（この場合は、遅延数Ｎ＝２）や、送信を許可するパケット数を示すパケット数情報（この場合は２）を含む予約許可を移動局３に送信する。
【００９５】
従って、再度の予約許可を受信した移動局３の制御部３２は、無線送受信部３１を制御して、送信タイミング＃８でパケットデータを送信させる。
【００９６】
以上のように、内容の異なる予約許可を複数回送信可能としたため、移動局に対して仮の予約許可を行うことができ、再度の予約許可により真の予約許可を与えることができる。
【００９７】
また、上述各送信方法において、移動局３に対する最初の予約許可を行う際に、移動局２に対して予約した送信タイミングから所定の時間だけ遅延させた送信タイミングを移動局３に許可しておくこともできる。移動局２のパケット送信の際に、無線基地局１において、受信エラーとなり再送（例えはＨ−ＡＲＱに従った再送）を行うこともできるが、この場合、所定時間のマージンをとっておく。そして、移動局２のパケット送信において、再送もなく、送信速度も上昇した場合等に、移動局３に送信を許可するタイミングを早めるために再度の予約許可を利用することもできる。
【００９８】
〔ｂ〕第２実施形態の説明
この実施形態では、移動局２、３の制御部２２（３２）は、無線環境に応じて送信形式を変更して送信速度を変化させるが、送信予約要求を送信することで受信した送信許可を受信した場合には、この送信許可に従ってデータ送信を行う間については、送信形式の変更を規制することとする。
【００９９】
即ち、移動局２（３）は、送信データの量Ｄと、最新の無線環境に応じた送信形式（例えば、無線基地局１から指定される送信形式）によって１回の送信で送信可能なデータ量Ｒに基づいて[Ｄ／Ｒ]を算出し、送信予約要求にこのパケット数[Ｄ／Ｒ]を含めて送信する。
【０１００】
そして、無線基地局１からこの送信予約要求を受け入れる旨の予約許可（パケット数[Ｄ／Ｒ]の送信を許可）を移動局２が受信すると、制御部２２は、パケットデータの送信の際の最新の無線環境に応じて送信形式を変更する制御は行わないように規制をかけるのである。
【０１０１】
例えば、送信予約要求の生成の際に参照した送信形式を、予約許可に従ったパケットの送信が完了するまでの間における送信形式として一律に適用するのである。
【０１０２】
これにより、無線環境の変化を送信予約に悪影響を与えない範囲で採用することができるため、好適である。
【図面の簡単な説明】
【０１０３】
【図１】従来のパケット送信方法を示すための図である。
【図２】問題点の説明図（その１）である。
【図３】問題点の説明図（その２）である。
【図４】本発明に係る無線通信装置を示す図である。
【図５】本発明に係る記憶部１４の記憶内容を示す図である。
【図６】本発明に係る送信方法（その１）を示す図である。
【図７】本発明に係る送信方法（その２）を示す図である。
【図８】本発明に係る送信方法（その３）を示す図である。
【符号の説明】
【０１０４】
１      無線基地局
２、３  移動局
１１    無線送受信部
１２    制御部
１３    予約管理部
１４    記憶部
１５    インタフェース部
２１    無線送受信部
２２    制御部
２３    記憶部
２４    入出力部
３１    無線送受信部
３２    制御部
３３    記憶部
３４    入出力部
【図１】
2006319395.tif 000003
【図２】
2006319395.tif 000004
【図３】
2006319395.tif 000005
【図４】
2006319395.tif 000006
【図５】
2006319395.tif 000007
【図６】
2006319395.tif 000008
【図７】
2006319395.tif 000009
【図８】
2006319395.tif 000010